(57)【要約】【課題】負荷の投入から温度測定手段の温度が変化するまでのタイムラグにより負荷の投入を検出するのを待ちきれない使用者が設定温度や設定火力を頻繁に調整操作しなくて済み、使用者の極端な調整操作により本来の性能を発揮できなくなったりすることのないようにする。【解決手段】使用者が負荷投入時に負荷投入入力手段６を操作すると一時的に温度調節の目標温度を高い温度に上げる。【選択図】図１
2005251558.tif 000002
【特許請求の範囲】
【請求項１】
被加熱物を加熱する加熱手段と、被加熱物の温度を測定する温度測定手段と、前記温度測定手段で測定した被加熱物の温度を第１の温度を目標温度として前記加熱手段を制御する制御部と、被加熱物の追加を使用者が機器に入力する負荷投入入力手段と、前記負荷投入入力手段の操作により前記第１の温度よりも高い第２の温度を前記制御部の目標温度に変更する負荷補正手段を備えた加熱調理器。
【請求項２】
負荷補正手段は、負荷投入入力手段の操作により所定の入力電力を維持するように制御部の制御を変更する構成とした請求項１に記載の加熱調理器。
【請求項３】
負荷補正手段は、被加熱物の温度が第１の温度よりも高い第３の温度に到達すると負荷補正手段の動作を終了する構成とした請求項１または２に記載の加熱調理器。
【請求項４】
制御部は、入力電力を第１の入力電力となるように加熱手段を制御し、負荷補正手段は負荷投入入力手段の操作により前記第１の入力電力よりも高い第２の入力電力を維持するように前記制御部の制御を変更する構成とした請求項１に記載の加熱調理器。
【請求項５】
負荷投入入力手段の操作からの経過時間を計時する計時手段を備え、負荷補正手段は前記計時手段の計時した時間が所定時間に達すると負荷補正手段の動作を終了する請求項１〜４のいずれか１項に記載の加熱調理器。
【請求項６】
使用者が任意に時間を設定できる時間設定入力手段を備え、負荷補正手段は、計時手段の計時した時間が前記時間設定入力手段にて設定した時間に達すると負荷補正手段の動作を終了する請求項５に記載の加熱調理器。
【請求項７】
時間設定入力手段は、負荷投入入力手段により時間設定可能とした請求項６に記載の加熱調理器。
【請求項８】
使用者が負荷投入入力手段の操作を取り消す取消入力手段を備え、負荷補正手段は、前記取消入力手段の操作により負荷補正手段の動作を終了する請求項１〜７のいずれか１項に記載の加熱調理器。
【請求項９】
取消入力手段は、負荷投入入力手段により取消入力可能とした請求項８に記載の加熱調理器。
【請求項１０】
負荷補正手段は、被加熱物の予熱中には負荷投入入力手段の操作を受け付けない構成とした請求項１〜９のいずれか１項に記載の加熱調理器。
【請求項１１】
負荷補正手段は、被加熱物の温度が所定の温度よりも高いときは負荷投入入力手段の操作を受け付ける請求項１０に記載の加熱調理器。
【請求項１２】
報知手段を備え、負荷補正手段は被加熱物の予熱中に負荷投入入力手段の操作を受け付けると前記報知手段により報知する請求項１〜９のいずれか１項に記載の加熱調理器。
【請求項１３】
負荷補正手段は、被加熱物の温度が所定の温度よりも高いときは負荷投入入力手段の操作を受け付けても報知手段による報知を行わないようにした請求項１２に記載の加熱調理器。
【請求項１４】
使用者が加熱開始の指示を行う開始入力手段を備え、負荷投入入力手段は前記開始入力手段により負荷投入の代用入力可能な構成とした請求項１〜１３のいずれか１項に記載の加熱調理器。
【発明の詳細な説明】
【技術分野】
【０００１】
本発明は、加熱調理器に関するものである。
【背景技術】
【０００２】
従来の加熱調理器は、例えば、被加熱物の温度変化に要する時間を測定して決定した温度勾配が所定の値を継続したときに負荷が投入されたと判断し、目標温度を変更するものがあった（例えば、特許文献１参照）。図９は前記公報に記載された従来の加熱調理器のブロック図を示すものである。図９において、被加熱物２１を加熱する加熱手段２２と、前記被加熱物２１の温度を測定する温度測定手段２６と、前記温度測定手段２６からの温度情報を元に前記加熱手段２２を制御する制御部２４と、前記制御部２４の指示により計時を行うタイマ２５から構成されている。図１０は前記公報に記載された従来の加熱調理器の動作例を示すものであり、温度測定手段２６が被加熱物２１の温度を測定する毎に制御部２４が実行する動作フローである。図１０において、ステップＳ２２にて温度測定手段２６に温度変化が発生するまでステップＳ２３にてタイマ２５を加算する。ステップＳ２２にて温度変化があるとステップＳ２４にて温度変化の勾配が負であり、さらにステップＳ２５にてタイマ２５で計時した時間が所定の時間以下であったときは負荷が投入されたと判断してステップＳ２６にて目標温度を所定値まで上昇させるよう構成していた。
【特許文献１】特開平５−１３１６１号公報
【発明の開示】
【発明が解決しようとする課題】
【０００３】
しかしながら、前記従来の構成では、負荷の投入から温度測定手段の温度が変化するまでのタイムラグが大きく、使用者は加熱調理器が負荷投入を検出するのを待つ必要があった。また、加熱調理器が負荷の投入を検出するのを待ちきれない使用者は手動で設定温度や設定火力を調整する場合が多いが、使用者は火力が弱いときはフルパワーまたは最高温度に設定し、火力が強いときには最低パワーまたは最低温度に設定するなど極端な操作をしがちであり、頻繁に状況が変わるので操作が煩わしくなったり、加熱調理器の本来の性能を発揮できなくなったりするという課題があった。
【０００４】
本発明は、上記従来の課題を解決するもので、負荷の投入を加熱調理器が検出するまでの時間を使用者が待つ必要が無く、負荷の投入後に使用者が設定温度や設定火力をこまめに操作しなくてもすぐに適切な加熱を行える加熱調理器を実現することを目的としている。
【課題を解決するための手段】
【０００５】
前記従来の課題を解決するために、本発明の加熱調理器は負荷投入入力手段を設け、使用者が負荷投入入力手段を操作すると目標温度を高い温度に上げるよう構成したものである。
【０００６】
これによって、使用者が負荷を投入したときに温度測定手段による負荷投入の検出を待たず即座に加熱を行える加熱調理器を実現することを目的とする。
【発明の効果】
【０００７】
本発明の加熱調理器は、使用者が負荷を投入したときに温度測定手段による負荷投入の検出を待たず使用者の意思により即座に加熱を行える加熱調理器を実現することができる。
【発明を実施するための最良の形態】
【０００８】
第１の発明は、被加熱物の温度を第１の温度を目標温度として加熱手段を制御する制御部と、被加熱物の追加を使用者が機器に知らせる負荷投入入力手段と、負荷投入入力手段の操作により第１の温度よりも高い第２の温度を制御部の目標温度に変更する負荷補正手段を備えたから、被加熱物の温度を一定に保つ制御モードにおいて、使用者の意思により被加熱物に負荷を投入したことをすぐに機器に伝えることができ、目標温度を高くする負荷補正動作により被加熱物の温度低下を防ぐことができる。
【０００９】
第２の発明は、特に、第１の発明の負荷補正手段を、負荷投入入力手段の操作により所定の入力電力を維持するように制御部の制御を変更する構成としたから、負荷投入時にすぐに安定した火力を被加熱物に与える負荷補正動作により被加熱物に応じた調理が素早くできる。
【００１０】
第３の発明は、特に、第１の発明または第２の発明の負荷補正手段を、被加熱物の温度が第１の温度よりも高い第３の温度に到達すると負荷補正手段の動作を終了する構成としたから、投入した負荷が少なくなるなど被加熱物の温度が高くなると負荷補正動作を自動的に終了することができる。
【００１１】
第４の発明は、特に、第１の発明の制御部を入力電力を第１の入力電力となるように加熱手段を制御するよう構成し、負荷補正手段を負荷投入入力手段の操作により第１の入力電力よりも高い第２の入力電力を維持するように制御部の制御を変更するよう構成したから、被加熱物への入力電力を一定に保つ制御モードにおいて、負荷投入時にすぐに高い火力を被加熱物に与えることができ、使用者による細かい入力電力調整操作を伴わずに被加熱物の温度を素早く上昇させることができる。
【００１２】
第５の発明は、負荷投入入力手段の操作からの経過時間を計時する計時手段を備え、特に第１〜第４のいずれか１つの発明の負荷補正手段を、計時手段の計時した時間が所定時間に達すると負荷補正手段の動作を終了する構成としたから、負荷補正手段により火力や温度が高くなり万一温度測定手段にて被加熱物の温度上昇を十分検知できなくても一定時間後には確実に負荷補正手段の動作を終了することができる。
【００１３】
第６の発明は、使用者が任意に時間を設定できる時間設定入力手段を備え、特に第５の発明の負荷補正手段を、計時手段の計時した時間が時間設定入力手段にて設定した時間に達すると負荷補正手段の動作を終了する構成としたから、投入した負荷の種類や量に応じて使用者が負荷補正手段にて火力や温度を高くする時間を任意に指定することができる。
【００１４】
第７の発明は、特に第６の発明の時間設定入力手段を負荷投入入力手段により時間設定可能にし代用する構成としたから、負荷補正時間の設定操作を単純化することができ、コストの上昇も防ぐことができる。
【００１５】
第８の発明は、使用者が負荷投入入力手段の操作を取り消す取消入力手段を備え、特に第１〜第７の発明のいずれか１つの発明の負荷補正手段を取消入力手段の操作により負荷補正手段の動作を終了する構成としたから、使用者が誤って負荷投入入力手段の操作を行ったり、負荷補正手段による火力や温度の上昇が既に十分で負荷補正手段の動作を終了する意思が使用者にあるときにはいつでも負荷補正手段の動作を終了することができる。
【００１６】
第９の発明は、特に第８の発明の取消入力手段を負荷投入入力手段により取消入力でき代用可能にする構成としたから、負荷補正手段の動作の取消操作を単純化することができ、コストの上昇も防ぐことができる。
【００１７】
第１０の発明は、特に第１〜第９の発明のいずれか１つの発明の負荷補正手段を被加熱物の予熱中には負荷投入入力手段の操作を受け付けない構成としたから、被加熱物の温度が低い可能性のある予熱中に負荷投入入力手段を受け付けているのに期待に対して十分な調理ができないという状態を防ぐことができる。
【００１８】
第１１の発明は、特に第１０の発明の負荷補正手段を被加熱物の温度が所定の温度よりも高いときは予熱中であっても負荷投入入力手段の操作を受け付ける構成としたから、予熱中であっても被加熱物の温度が高ければ負荷投入入力手段を受け付けて負荷補正動作を行うことができる。
【００１９】
第１２の発明は、報知手段を備え、特に第１〜第９の発明のいずれか１つの発明の負荷補正手段を被加熱物の予熱中に負荷投入入力手段の操作を受け付けると前記報知手段により報知する構成としたから、予熱中に負荷を投入して負荷投入入力手段を受け付けても必ずしも期待に対して十分に調理できるとは限らないことについて使用者に注意を促すことができる。
【００２０】
第１３の発明は、特に第１２の発明の負荷補正手段を被加熱物の温度が所定の温度よりも高いときは負荷投入入力手段の操作を受け付けても報知手段による報知を行わないよう構成したから、予熱中に負荷を投入して負荷投入入力手段を受け付けたときに十分被加熱物の温度が高ければ問題なく調理できるので不要な報知を行って使用者に不安感を与えないようにすることができる。
【００２１】
第１４の発明は、使用者が加熱開始の指示を行う開始入力手段を備え、特に第１〜第１３の発明の負荷投入入力手段を前記開始入力手段により負荷投入入力を代用できる構成としたから、操作部を単純化することができ、コストの上昇も防ぐことができる。
【００２２】
以下、本発明の実施の形態について、図面を参照しながら説明する。なお、本実施の形態によって本発明が限定されるものではない。
【００２３】
（実施の形態１）
図１は、本発明の第１の実施の形態における加熱調理器のブロック図を示すものである。図１において、鍋などの被加熱物５の温度を測定する温度測定手段２からの温度情報が制御部３に伝えられ、制御部３は開始入力手段１０からの入力により被加熱物５を加熱する加熱手段１の入力電力を制御することであらかじめ設定した第１の温度を目標温度として被加熱物５の温度を制御し被加熱物５内の調理物の調理をする。キースイッチなどで構成した負荷投入入力手段６からの入力により負荷補正手段４は制御部３の目標温度を第１の温度よりも高い第２の温度に変更して負荷補正動作を行う。また、制御部３の指示により計時手段７は計時を開始し、時間設定入力手段８にて設定した時間が経過すると制御部３に計時終了を告げる。
【００２４】
図２は、本発明の第１の実施の形態における加熱調理器の操作部を示すものである。図２において、加熱キー１１と鍋物キー１２は図１の開始入力手段１０に対応し、加熱キー１１を操作すると制御部３は入力電力を一定になるように制御する加熱モードに移行し、鍋物キー１２を操作すると制御部３は被加熱物５の温度を一定になるように制御する鍋物モードに移行する。材料投入キー１３は図１における負荷投入入力手段６に対応しており、鍋物モード中に材料投入キー１３を操作すると負荷補正手段４により負荷補正動作を行う。負荷補正動作中は材料投入キー１３は図１における時間設定入力手段８に対応し、材料投入キー１３を操作すると表示部１４に負荷補正設定時間を表示する。
【００２５】
以上のように構成した加熱調理器について、以下その動作、作用を説明する。
【００２６】
まず、鍋物キー１２を操作すると鍋などで構成する被加熱物５が鍋物に最適な第１の温度になるように動作する。具体的には温度測定手段２にて測定した被加熱物５の温度を制御部３に入力し、制御部３は目標温度である第１の温度と被加熱物５の温度との温度差と温度測定手段２により測定した温度変化勾配に応じて加熱手段１の通電率や入力電力を調整して被加熱物５の温度を第１の温度に近づけるように作動する。
【００２７】
このとき、被加熱物５に調理材料などの負荷を投入すると温度測定手段２にて測定する温度に比較して被加熱物５内の温度は低下するため、制御部３は温度測定手段２の温度低下から負荷を投入したことを検出し、目標温度を現状の第１の温度よりも１０℃高い第２の温度に変更する負荷補正動作を行う。
【００２８】
しかし、被加熱物５に負荷を投入してから温度測定手段２の温度が低下するまでには若干のタイムラグが生じるため、実際に鍋に調理材料を投入してから入力電力が上昇するまでに時間が掛かるので、待ちきれない使用者は材料投入キー１３を操作する。すると、温度測定手段２の温度低下を待たずして負荷補正手段４は被加熱物５に負荷が投入されたことを認識でき、すぐに制御部３の目標温度を現状の第１の温度よりも１０℃高い第２の温度に変更して負荷補正動作を行うことができる。
【００２９】
次に負荷補正中の動作を図３を用いて説明する。図３は、本発明の第１の実施の形態における負荷補正動作のタイムチャートである。図３において、材料投入キー１３を操作すると目標温度を第１の温度から第２の温度に変更してその温度差から入力電力が上昇する。測定温度が第１の温度よりも高い第３の温度に到達すると負荷補正動作を終了して目標温度を第１の温度に戻す。以上の動作で負荷補正動作を完了する。
【００３０】
なお、負荷の連続追加や異物介在などの温度測定手段２の正確な温度測定を阻害する要因などにより測定温度が第３の温度に到達しないときには材料投入キー１３操作時から計時手段７にて計時した負荷補正動作の経過時間があらかじめ設定した負荷補正時間ｔ１に到達すると負荷補正動作を終了する。
【００３１】
また、負荷補正時間ｔ１を任意に設定することもできる。材料投入キー１３の操作により負荷補正動作が開始するが、さらに材料投入キー１３を操作すると負荷補正時間ｔ１を任意に設定できる負荷補正タイマ設定モードとなる。（表１）は負荷補正動作の終了条件表である。
【００３２】
【表１】
2005251558.tif 000003
【００３３】
（表１）は材料投入キー１３にて時間設定入力手段８を代用した場合の、材料投入キー１３の操作回数による負荷補正動作の終了条件の例を示しており、操作回数１回目は温度測定手段２による測定温度が第２の温度に到達することで負荷補正終了条件としており、本実施例内で既に述べている動作である。操作回数２回目以降は負荷補正タイマ設定モードであり、２回目は負荷補正時間ｔ１を２分に設定し、表示部１４に２分の表示を行う。以下、３回目は５分、４回目は１０分としており、５回目は１回目と同じ終了条件としている。
【００３４】
図４は、本発明の第１の実施の形態における負荷補正タイマ動作のタイムチャートである。図４において、材料投入キー１３を２回操作すると（表１）より負荷動作時間ｔ１を２分に設定し、計時手段７により計時を開始する。また目標温度を第１の温度から第２の温度に変更してその温度差から入力電力が上昇する。目標温度である第２の温度に到達すると入力電力を低下させ温度測定手段２の測定温度を第２の温度に維持するように入力電力を調整する。
【００３５】
材料投入キー１３の操作からの計時により負荷補正時間ｔ１である２分が経過すると負荷補正動作を終了して目標温度を第１の温度に戻す。以上の動作で負荷補正動作を完了する。
【００３６】
なお、本実施の形態において、第１の温度と第２の温度、第３の温度は使用者が任意に変更できる構成としてもよく、特に第２の温度と第３の温度は第１の温度または負荷補正動作直前の測定温度に応じてテーブルデータを参照するなど一意に決定するものでも良い。
【００３７】
また、開始入力手段１０は入力電力一定制御の加熱キー１１や被加熱物５の温度測定手段２による測定温度一定制御の鍋物キー１２の他にも、プレート状の被加熱物を対象とした焼き物キーや油加熱を対象とした揚げ物キーなど、あらゆる調理に応じた各モードの開始入力手段であってもよい。
【００３８】
以上のように、本実施の形態においては、被加熱物の追加を使用者が機器に知らせる負荷投入入力手段を備えることにより、使用者の意思により被加熱物に負荷を投入したことをすぐに確実に機器に伝えることができ、目標温度を高くする負荷補正動作により被加熱物の温度低下を防ぐことができる。
【００３９】
また、被加熱物の温度が第１の温度よりも高い第３の温度に到達すると負荷補正手段の動作を終了する構成とすることにより、投入した負荷が少なくなるなど被加熱物の温度が高くなると負荷補正動作を自動的に終了することができる。
【００４０】
また、計時手段の計時した時間が所定時間に達すると負荷補正手段の動作を終了する構成とすることにより、負荷補正手段により火力や温度が高くなり万一温度測定手段にて被加熱物の温度上昇を十分検知できなくても一定時間後には確実に負荷補正手段の動作を終了することができる。
【００４１】
また、計時手段の計時した時間が時間設定入力手段にて設定した時間に達すると負荷補正手段の動作を終了する構成とすることにより、投入した負荷の種類や量に応じて使用者が負荷補正手段にて火力や温度を高くする時間を任意に指定することができる。
【００４２】
また、時間設定入力手段を負荷投入入力手段により代用する構成とすることにより、負荷補正時間の設定操作を単純化することができ、コストの上昇も防ぐことができる。
【００４３】
また、本実施の形態の時間設定入力手段８を負荷補正動作中に操作すると負荷補正時間の追加や再設定ができるようにすることで、負荷補正動作中に材料の追加など状況に応じて使用者が負荷補正時間の途中変更をすることができる。
【００４４】
（実施の形態２）
本発明の第２の実施の形態における構成は第１の実施の形態に相似しているため、第１の実施の形態との相違点のみ説明する。図１および図２において、制御部が第１の温度を目標温度として被加熱物５の温度を制御し被加熱物５内の調理物の調理をしているときに使用者が材料投入キー１３を操作すると、負荷補正動作として加熱手段１の入力電力を例えば１４００Ｗの固定入力電力とする。このときの入力電力は使用者が任意に設定できるものであり、投入した調理物の内容や量に応じて一時的に固定入力電力を設定できるよう構成する。負荷補正動作の終了条件などそれ以外の負荷補正動作については本発明の第１の実施の形態と同様である。
【００４５】
以上のように、本実施の形態においては、負荷投入入力手段の操作により所定の入力電力を維持するように制御部の制御を変更する構成とすることにより、基本的に被加熱物５の測定温度に関わらず必要な火力を得られるので、負荷投入時にすぐに安定した必要な火力を被加熱物に与えることができ、素早く被加熱物に応じた調理ができる。
【００４６】
また、本実施の形態の負荷補正動作中において入力電力を使用者が任意に設定できるように構成することにより、被加熱物の一定温度制御中においても投入した負荷に応じて必要な火力を一時的に与えることができる。
【００４７】
（実施の形態３）
本発明の第３の実施の形態における構成は第１の実施の形態に相似しているため、第１の実施の形態との相違点のみ説明する。図１および図２において、加熱キー１１を操作すると制御部３は入力電力を第１の入力電力になるように制御する加熱モードに移行する。加熱モード中に材料投入キー１３を操作すると入力電力を第１の入力電力よりも高い第２の入力電力になるように制御する負荷補正動作を行う。
【００４８】
第２の入力電力は加熱調理器の定格入力電力を超えない範囲にて設定した値であり、本実施の形態では定格入力電力と同じ値とする。負荷補正動作の終了条件などそれ以外の負荷補正動作については本発明の第１の実施の形態と同様である。
【００４９】
以上のように、本実施の形態においては、入力電力を第１の入力電力となるように加熱手段を制御するよう構成し、負荷投入入力手段の操作により第１の入力電力よりも高い第２の入力電力を維持するように構成することにより、被加熱物への入力電力を一定に保つ制御モードにおいて、負荷投入時にすぐに高い火力を被加熱物に与えることができ、使用者による細かい入力電力調整操作を伴わずに被加熱物の温度を素早く上昇させることができる。
【００５０】
なお、本実施の形態において、第２の入力電力は加熱調理器の定格入力電力としたが、第１の入力電力よりも高ければ他の値でもよく、第１の入力電力に一定値を足したものでもよい。また、第２の入力電力を使用者が任意に設定できるものでもよい。
【００５１】
（実施の形態４）
本発明の第４の実施の形態における構成は第１の実施の形態に相似しているため、第１の実施の形態との相違点のみ説明する。図５は本発明の第４の実施の形態における加熱調理器の操作部を示すものである。図５において、材料投入／取消キー１５は図１における負荷投入入力手段６に対応しており、加熱モードや鍋物モード中に材料投入／取消キー１５を操作すると負荷補正手段４により負荷補正動作を行う。負荷補正動作中に材料投入／取消キー１５を操作すると負荷補正動作を強制的に終了し、負荷補正動作前の動作状態とする。それ以外の負荷補正動作については本発明の第１の実施の形態と同様である。
【００５２】
以上のように、本実施の形態においては、材料投入／取消キー（取消入力手段）の操作により負荷補正手段の動作を終了する構成とすることにより、使用者が誤って負荷投入入力手段の操作を行ったり、負荷補正手段による火力や温度の上昇が既に十分で負荷補正手段の動作を終了する意思が使用者にあるときにはいつでも負荷補正手段の動作を終了することができる。
【００５３】
また、取消入力手段を負荷投入入力手段により代用する構成としたから、負荷補正手段の動作の取消操作を単純化することができ、コストの上昇も防ぐことができる。
【００５４】
（実施の形態５）
本発明の第５の実施の形態における構成は第１の実施の形態に相似しているため、第１の実施の形態との相違点のみ説明する。図６は本発明の第５の実施の形態における負荷投入入力手段の受付フローチャートである。以下、その動作について説明する。
【００５５】
先ず、ステップＳ１では負荷投入入力手段４が操作されていればステップＳ２にて予熱中であるかを判定する。予熱中であればステップＳ３にて報知手段９による非受付報知を行い負荷投入入力手段を受け付けないことを使用者に知らせ、予熱中でなければステップＳ４にて負荷補正動作を開始する。
【００５６】
以上のように、本実施の形態においては、被加熱物の予熱中には負荷投入入力手段の操作を受け付けない構成としたから、被加熱物の温度が低い可能性のある予熱中に負荷投入入力手段を受け付けているのに期待に対して十分な調理ができないという状態を防ぐことができる。
【００５７】
（実施の形態６）
本発明の第６の実施の形態における構成は第１の実施の形態に相似しているため、第１の実施の形態との相違点のみ説明する。図７は本発明の第６の実施の形態における負荷投入入力手段の受付フローチャートである。以下、その動作について説明する。
【００５８】
先ず、ステップＳ５では負荷投入入力手段４が操作されていればステップＳ６にて予熱中であるかを判定する。予熱中でなければステップＳ７に移行して負荷補正動作を開始し、予熱中であればステップＳ８に移行する。
【００５９】
ステップＳ８では温度測定手段２の測定温度が例えば目標温度から２０℃低い温度よりも高ければ負荷補正動作を行うに十分温度が高いと判定し、ステップＳ７に移行して負荷補正動作を開始し、測定温度が目標温度から２０℃低い温度よりも低ければ負荷補正動作を行うには十分温度が高いとは言えないと判定し、ステップＳ９に移行して報知手段９による注意報知を行った後ステップＳ７に移行して負荷補正動作を行う。
【００６０】
以上をまとめると、予熱中であっても温度が十分高ければ負荷補正動作を不要な報知を伴わずに行うことができて、予熱中で温度が十分に高くない場合には使用者に注意を促す注意報知を伴って負荷補正動作を行う。
【００６１】
以上のように、本実施の形態においては、被加熱物の温度が所定の温度よりも高いときは予熱中であっても負荷投入入力手段の操作を受け付ける構成とすることにより、予熱中であっても被加熱物の温度が高ければ負荷投入入力手段を受け付けて負荷補正動作を行うことができる。
【００６２】
また、予熱中に負荷投入入力手段の操作を受け付けると報知手段により報知する構成とすることにより、予熱中に負荷を投入して負荷投入入力手段を受け付けても必ずしも期待に対して十分に調理できるとは限らないことについて使用者に注意を促すことができる。
【００６３】
また、被加熱物の温度が所定の温度よりも高いときは負荷投入入力手段の操作を受け付けても報知手段による報知を行わないようにすることにより、予熱中に負荷を投入して負荷投入入力手段を受け付けたときに十分被加熱物の温度が高ければ問題なく調理できるので不要な報知を行って使用者に不安感を与えないようにすることができる。
【００６４】
（実施の形態７）
本発明の第７の実施の形態における構成は第１の実施の形態に相似しているため、第１の実施の形態との相違点のみ説明する。図８は本発明の第７の実施例における加熱調理器の操作部を示すものである。図８において、加熱キー１１を操作すると制御部３は入力電力を一定になるように制御する加熱モードに移行し、鍋物キー１６を操作すると図１の制御部３は被加熱物５の温度を一定になるように制御する鍋物モードに移行する。鍋物モード中において鍋物キー１６は負荷投入入力手段６に対応し、鍋物モード中に鍋物キー１６を操作すると負荷補正手段４により負荷補正動作を行う。それ以降の負荷補正動作については本発明の第１の実施の形態と同様である。
【００６５】
以上のように、本実施の形態においては、負荷投入入力手段６を鍋物キー１６（開始入力手段）により代用する構成としたから、操作部を単純化することができ、コストの上昇も防ぐことができる。
【００６６】
なお、本実施の形態において、鍋物キー１６が開始入力手段１０に対応するものとしたが、加熱キー１１についても適用できる。
【産業上の利用可能性】
【００６７】
本発明の加熱調理器は、使用者の意思により被加熱物に負荷を投入したことをすぐに確実に機器に伝えることができるので、調理に関するもの以外にも負荷の途中追加の可能性があるあらゆる加熱機器の用途としても適用できる。
【図面の簡単な説明】
【００６８】
【図１】本発明の第１の実施の形態における加熱調理器のブロック図
【図２】本発明の第１の実施の形態における加熱調理器の操作部を示す図
【図３】本発明の第１の実施の形態における負荷補正動作のタイムチャート
【図４】本発明の第１の実施の形態における負荷補正タイマ動作のタイムチャート
【図５】本発明の第４の実施の形態における加熱調理器の操作部を示す図
【図６】本発明の第５の実施の形態における負荷投入入力手段の受付フローチャート
【図７】本発明の第６の実施の形態における負荷投入入力手段の受付フローチャート
【図８】本発明の第７の実施例における加熱調理器の操作部を示す図
【図９】従来の加熱調理器のブロック図
【図１０】従来の加熱調理器の動作を示すフローチャート
【符号の説明】
【００６９】
１  加熱手段
２  温度測定手段
３  制御手段
４  負荷補正手段
６  負荷投入入力手段
【図１】
2005251558.tif 000004
【図２】
2005251558.tif 000005
【図３】
2005251558.tif 000006
【図４】
2005251558.tif 000007
【図５】
2005251558.tif 000008
【図６】
2005251558.tif 000009
【図７】
2005251558.tif 000010
【図８】
2005251558.tif 000011
【図９】
2005251558.tif 000012
【図１０】
2005251558.tif 000013